(57)【特許請求の範囲】
【請求項１】
配管を通流する流体の一次側圧力を減圧して所定の二次側圧力に調整するガバナにて発生する音の時系列データを検出する音検出手段を備え、前記ガバナにてハンチングが発生しているか否かを前記時系列データに基づいて判定するハンチング判定装置であって、
特定期間毎の前記音の時系列データのうち低周波帯域を除去した周波数帯域の前記時系列データをフーリエ変換するフーリエ変換部と、
当該フーリエ変換部によるフーリエ変換により得られた周波数スペクトルを積分してパワースペクトル合成値を導出するスペクトル合成部と、
前記特定期間よりも長い特定判定期間で、前記スペクトル合成部にて導出される複数の前記パワースペクトル合成値の標準偏差を導出する標準偏差導出部と、
前記特定判定期間で、前記スペクトル合成部にて導出される複数の前記パワースペクトル合成値の平均値を導出する平均値導出部と、
前記標準偏差導出部にて導出された前記標準偏差を、前記平均値導出部にて導出された前記平均値にて除算した変動係数に基づいて、前記ガバナでのハンチングの有無を判定するハンチング判定部とを備え、
前記ガバナにてハンチングが起きているときの前記変動係数と、前記ガバナにてハンチングが起きていないときの前記変動係数との間の値として決定されるハンチング判定閾値を記憶する記憶部を備え、
前記ハンチング判定部は、導出した前記変動係数が、前記記憶部に記憶された前記ハンチング判定閾値を超える場合に、前記ガバナでハンチングが発生していると判定するものであり、
前記ハンチング判定部は、前記ハンチング判定閾値として、異なる流量の夫々に対して、同一の値を用いて前記ガバナでのハンチングの有無を判定するハンチング判定装置。
【請求項２】
配管を通流する流体の一次側圧力を減圧して所定の二次側圧力に調整するガバナにて発生する音の時系列データを検出する音検出手段を備え、前記ガバナにてハンチングが発生しているか否かを前記時系列データに基づいて判定するハンチング判定装置であって、
特定期間毎の前記音の時系列データのうち低周波帯域を除去した周波数帯域の前記時系列データをフーリエ変換するフーリエ変換部と、
当該フーリエ変換部によるフーリエ変換により得られた周波数スペクトルを積分してパワースペクトル合成値を導出するスペクトル合成部と、
前記特定期間よりも長い特定判定期間で、前記スペクトル合成部にて導出される複数の前記パワースペクトル合成値の標準偏差を導出する標準偏差導出部と、
前記特定判定期間で、前記スペクトル合成部にて導出される複数の前記パワースペクトル合成値の平均値を導出する平均値導出部と、
前記標準偏差導出部にて導出された前記標準偏差を、前記平均値導出部にて導出された前記平均値にて除算した変動係数に基づいて、前記ガバナでのハンチングの有無を判定するハンチング判定部とを備え、
前記ガバナにてハンチングが起きていないときの前記変動係数に対する、前記ガバナにてハンチングが起きているときの前記変動係数の比率である変動係数比率に基づいて決定されるハンチング判定閾値を記憶する記憶部を備え、
前記ハンチング判定部は、前記ガバナにてハンチングが起きていないときの前記変動係数に対する、導出した前記変動係数の比率である変動係数比率が、前記記憶部に記憶された前記ハンチング判定閾値を超える場合に、前記ガバナでハンチングが発生していると判定するものであり、
前記ハンチング判定部は、前記ハンチング判定閾値として、異なる流量の夫々に対して、同一の値を用いて前記ガバナでのハンチングの有無を判定するハンチング判定装置。
【請求項３】
配管を通流する流体の一次側圧力を減圧して所定の二次側圧力に調整するガバナにて発生する音の時系列データを検出し、前記ガバナにてハンチングが発生しているか否かを前記時系列データに基づいて判定するハンチング判定方法であって、
特定期間毎の前記音の時系列データのうち低周波帯域を除去した周波数帯域の前記時系列データをフーリエ変換するフーリエ変換工程と、
当該フーリエ変換工程によるフーリエ変換により得られた周波数スペクトルを積分してパワースペクトル合成値を導出するスペクトル合成工程と、
前記特定期間よりも長い特定判定期間で、前記スペクトル合成工程にて導出される複数の前記パワースペクトル合成値の標準偏差を導出する標準偏差導出工程と、
前記特定判定期間で、前記スペクトル合成工程にて導出される複数の前記パワースペクトル合成値の平均値を導出する平均値導出工程と、
前記標準偏差導出工程にて導出された前記標準偏差を、前記平均値導出工程にて導出された前記平均値にて除算した変動係数に基づいて、前記ガバナでのハンチングの有無を判定するハンチング判定工程とを実行し、
前記ガバナにてハンチングが起きているときの前記変動係数と、前記ガバナにてハンチングが起きていないときの前記変動係数との間の値として決定されるハンチング判定閾値を記憶部に記憶し、
前記ハンチング判定工程は、導出した前記変動係数が、前記記憶部に記憶された前記ハンチング判定閾値を超える場合に、前記ガバナでハンチングが発生していると判定するものであり、
前記ハンチング判定工程は、前記ハンチング判定閾値として、異なる流量の夫々に対して、同一の値を用いて前記ガバナでのハンチングの有無を判定するハンチング判定方法。
【請求項４】
配管を通流する流体の一次側圧力を減圧して所定の二次側圧力に調整するガバナにて発生する音の時系列データを検出し、前記ガバナにてハンチングが発生しているか否かを前記時系列データに基づいて判定するハンチング判定方法であって、
特定期間毎の前記音の時系列データのうち低周波帯域を除去した周波数帯域の前記時系列データをフーリエ変換するフーリエ変換工程と、
当該フーリエ変換工程によるフーリエ変換により得られた周波数スペクトルを積分してパワースペクトル合成値を導出するスペクトル合成工程と、
前記特定期間よりも長い特定判定期間で、前記スペクトル合成工程にて導出される複数の前記パワースペクトル合成値の標準偏差を導出する標準偏差導出工程と、
前記特定判定期間で、前記スペクトル合成工程にて導出される複数の前記パワースペクトル合成値の平均値を導出する平均値導出工程と、
前記標準偏差導出工程にて導出された前記標準偏差を、前記平均値導出工程にて導出された前記平均値にて除算した変動係数に基づいて、前記ガバナでのハンチングの有無を判定するハンチング判定工程とを実行し、
前記ガバナにてハンチングが起きていないときの前記変動係数に対する、前記ガバナにてハンチングが起きているときの前記変動係数の比率である変動係数比率に基づいて決定されるハンチング判定閾値を記憶部に記憶し、
前記ハンチング判定工程は、前記ガバナにてハンチングが起きていないときの前記変動係数に対する、導出した前記変動係数の比率である変動係数比率が、前記記憶部に記憶された前記ハンチング判定閾値を超える場合に、前記ガバナでハンチングが発生していると判定するものであり、
前記ハンチング判定工程は、前記ハンチング判定閾値として、異なる流量の夫々に対して、同一の値を用いて前記ガバナでのハンチングの有無を判定するハンチング判定方法。
【発明の詳細な説明】
【技術分野】
【０００１】
本発明は、配管を通流する流体の一次側圧力を減圧して所定の二次側圧力に調整するガバナにて発生する音の時系列データを検出する音検出手段を備え、前記ガバナにてハンチングが発生しているか否かを前記時系列データに基づいて判定するハンチング判定装置、及びハンチング判定方法に関する。
【背景技術】
【０００２】
従来、都市ガスを通流するガス配管等の配管には、一次側圧力を所定の二次側圧力に減圧するべく、複数のガバナが設けられている。
上述のガバナは、ガス供給先でのガスの需要の変動に応じて、ガス需要が多い場合には開度を開き側へ、ガス需要が小さい場合には開度を閉じ側へ自動調整する形態で、二次側圧力を所定の圧力（目標圧力）に維持するように構成されている。
このようなガバナは、時として、弁体の開き側への移動と閉じ側への移動とが短時間のうちに何度も切り換わるハンチングを起こす場合があり、このようなハンチングが起きている場合には、ガバナが正常の動作をするように点検・整備する必要があるため、各ガバナにおいてハンチングが起きているか否かを判定する技術が望まれていた。
このような状況において、出願人らは、特許文献１に開示の技術に示されるように、ガバナが設けられるガバナ室の内部にマイクロフォンを備える共に、当該マイクロフォンにて得られた音響信号を解析処理して、ガバナでのハンチングの有無を判定する判定装置を備えたガバナ異常検出システムを開発している。
当該特許文献１に開示の技術では、判定装置が、マイクロフォンから出力された音響信号の時系列データに対して、高速フーリエ変換することにより音圧レベルの周波数特性を表すグラフ（周波数スペクトル）を得ている。当該特許文献１に開示の技術では、ガバナに固有の特定周波数では、得られた音圧レベルが流体（ガス）の流量に正の相関関係があることに着目し、当該相関関係を記憶部に記憶している。
そして、ハンチングの判定制御では、マイクロフォンから出力された音響信号を解析して得た音圧レベルと、記憶部に記憶された相関関係とに基づいて、流体の流量を導出し、当該導出された流量が予め設定された変動幅を超えて変動したかという条件１と、その変動周期が予め設定された許容範囲を超えたかという条件２と、その変動が予め設定された回数を超えて連続したかという条件３とを、すべて満たした場合に、ガバナにおいてハンチングが起きていると判定している。
【先行技術文献】
【特許文献】
【０００３】
【特許文献１】特開２０１１−２２０７４８号公報
【発明の概要】
【発明が解決しようとする課題】
【０００４】
上記特許文献１に開示の技術では、まずもって、流体の流量を音圧レベルから推定する必要があり、当該推定の過程において、誤差が生じることは否めず、当該誤差を含む流量に基づいたハンチングの判定は、精度の高いものとなっているとは言い難かった。
更に、当該特許文献１に開示の技術では、上記特許文献の〔００３３〕段落に記載されているように、記憶部に記憶される「音圧レベルと流体の流量」とに関する相関関係は、ガバナの設置環境（具体的には、ガバナ室の立地や、ガバナとマイクロフォンとの位置関係等）が設置場所毎に異なるため、ガバナの設置環境毎に相関関係を取得するか、又は、データを補正する必要があった。このように、ガバナの設置箇所毎に相関関係を取得したり、データを補正するのは、非常に多くの作業工程を要し、現実的に運用し難い状況となっていた。
一方で、このように、ガバナの設置環境毎に異なる相関関係を用いずに共通の相関関係を用いる場合には、ガバナのハンチングの判定精度が低くなり、改善の余地があった。
【０００５】
本発明は、上述の課題に鑑みてなされたものであり、その目的は、流体の流量を直接測定したり推定したりすることのない構成において、ガバナの設置環境毎に各別にデータを補正する等の操作を必要とせず、流体の流量が変動する場合であっても、ガバナのハンチングを比較的高い精度で実行し得るハンチング判定装置、及びハンチング判定方法を提供する点にある。
【課題を解決するための手段】
【０００６】
上記目的を達成するためのハンチング判定装置は、
配管を通流する流体の一次側圧力を減圧して所定の二次側圧力に調整するガバナにて発生する音の時系列データを検出する音検出手段を備え、前記ガバナにてハンチングが発生しているか否かを前記時系列データに基づいて判定するハンチング判定装置であって、その特徴構成は、
特定期間毎の前記音の時系列データのうち低周波帯域を除去した周波数帯域の前記時系列データをフーリエ変換するフーリエ変換部と、
当該フーリエ変換部によるフーリエ変換により得られた周波数スペクトルを積分してパワースペクトル合成値を導出するスペクトル合成部と、
前記特定期間よりも長い特定判定期間で、前記スペクトル合成部にて導出される複数の前記パワースペクトル合成値の標準偏差を導出する標準偏差導出部と、
前記特定判定期間で、前記スペクトル合成部にて導出される複数の前記パワースペクトル合成値の平均値を導出する平均値導出部と、
前記標準偏差導出部にて導出された前記標準偏差を、前記平均値導出部にて導出された前記平均値にて除算した変動係数に基づいて、前記ガバナでのハンチングの有無を判定するハンチング判定部とを備え、
前記ガバナにてハンチングが起きているときの前記変動係数と、前記ガバナにてハンチングが起きていないときの前記変動係数との間の値として決定されるハンチング判定閾値を記憶する記憶部を備え、
前記ハンチング判定部は、導出した前記変動係数が、前記記憶部に記憶された前記ハンチング判定閾値を超える場合に、前記ガバナでハンチングが発生していると判定するものであり、
前記ハンチング判定部は、前記ハンチング判定閾値として、異なる流量の夫々に対して、同一の値を用いて前記ガバナでのハンチングの有無を判定する点にある。
【０００７】
また、上記目的を達成するためのハンチング判定方法は、
配管を通流する流体の一次側圧力を減圧して所定の二次側圧力に調整するガバナにて発生する音の時系列データを検出し、前記ガバナにてハンチングが発生しているか否かを前記時系列データに基づいて判定するハンチング判定方法であって、その特徴構成は、
特定期間毎の前記音の時系列データのうち低周波帯域を除去した周波数帯域の前記時系列データをフーリエ変換するフーリエ変換工程と、
当該フーリエ変換工程によるフーリエ変換により得られた周波数スペクトルを積分してパワースペクトル合成値を導出するスペクトル合成工程と、
前記特定期間よりも長い特定判定期間で、前記スペクトル合成工程にて導出される複数の前記パワースペクトル合成値の標準偏差を導出する標準偏差導出工程と、
前記特定判定期間で、前記スペクトル合成工程にて導出される複数の前記パワースペクトル合成値の平均値を導出する平均値導出工程と、
前記標準偏差導出工程にて導出された前記標準偏差を、前記平均値導出工程にて導出された前記平均値にて除算した変動係数に基づいて、前記ガバナでのハンチングの有無を判定するハンチング判定工程とを実行し、
前記ガバナにてハンチングが起きているときの前記変動係数と、前記ガバナにてハンチングが起きていないときの前記変動係数との間の値として決定されるハンチング判定閾値を記憶部に記憶し、
前記ハンチング判定工程は、導出した前記変動係数が、前記記憶部に記憶された前記ハンチング判定閾値を超える場合に、前記ガバナでハンチングが発生していると判定するものであり、
前記ハンチング判定工程は、前記ハンチング判定閾値として、異なる流量の夫々に対して、同一の値を用いて前記ガバナでのハンチングの有無を判定する点にある。
【０００８】
上記特徴構成によれば、ハンチングを判定する際に、流体の流量を用いる必要がないから、流量を直接測定したり、従来技術の如く、流量を音圧レベルから推定したりする必要がなくなる。このため、流量を音圧レベルから推定する場合に必要となる、ガバナの設置環境の夫々での各別の補正等を行う必要がなくなり、汎用性の高い装置を実現できる。
更に、上記特徴構成によれば、特定判定期間で、スペクトル合成部にて導出される複数のパワースペクトル合成値の標準偏差を導出している。当該標準偏差は、ガバナがハンチングを起こしている場合には大きく、ハンチングを起こしていない場合には小さいという特性を有しているが、当該標準偏差は流体の流量に正の相関がある値であり、流体の流量の増減に応じて増減するため、当該標準偏差を用いて、ハンチングの判定を行う場合には、流体の流量を知る必要が生じる。
そこで、本願の発明者らは、パワースペクトル合成値の標準偏差を、パワースペクトル合成値の平均値で除算した変動係数を指標とすることにより、流量依存性を実質的になくすことができる点に着目した。
即ち、上記特徴構成によれば、パワースペクトル合成値の標準偏差を、パワースペクトル合成値の平均値で除算した値であり、流体の流量依存性のない変動係数に基づいて、ガバナでのハンチングの有無を判定することにより、流体の流量を測定したり推定したりすることなく、良好にガバナでのハンチングの有無を精度良く判定できるハンチング判定装置を得るに至ったのである。
更に、上記特徴構成によれば、導出される変動係数が、ガバナにてハンチングが起きているときの変動係数と、ガバナにてハンチングが起きていないときの変動係数の間の値として決定されるハンチング判定閾値を超えるか否かという一の条件により、ハンチングを判定できるから、従来技術の如く、複数の条件を設定する必要がなくなり、制御をシンプルにできる。
ちなみに、本発明による変動係数は、流量依存性が極めて小さい。このため、異なる流量において測定されるハンチングが起きているときの変動係数は、大凡一定の範囲内に収まり、異なる流量において測定されるハンチングが起きていないときの変動係数も、大凡一定の範囲内に収まる。
そこで、上記ハンチング判定閾値を求める場合には、例えば、異なる流量において測定されるハンチングが起きているときの変動係数の平均値と、異なる流量において測定されるハンチングが起きていないときの変動係数の平均値との間に、ハンチング判定閾値を設定することで、流量が変動する場合であっても、当該流量を測定することなく、ハンチングの判定を良好に行うことができる。
ハンチング判定閾値の具体的な値としては、ハンチングが起きているときの変動係数の平均値の２倍以上３倍以下の値を設定することが好ましい。
また、上記特徴構成によれば、流体の流量が異なる場合であっても、判定の閾値としてのハンチング判定閾値は、同一の値を利用し続けることができるから、流量の変動に応じて、制御の閾値を変更する必要がなくなり、シンプルな制御を実現できる。また、流体の流量を計測したり、推定したりする必要がなくなり、装置構成の簡素化を図ることができる。
【０００９】
また、上記目的を達成するためのハンチング判定装置は、
配管を通流する流体の一次側圧力を減圧して所定の二次側圧力に調整するガバナにて発生する音の時系列データを検出する音検出手段を備え、前記ガバナにてハンチングが発生しているか否かを前記時系列データに基づいて判定するハンチング判定装置であって、その特徴構成は、
特定期間毎の前記音の時系列データのうち低周波帯域を除去した周波数帯域の前記時系列データをフーリエ変換するフーリエ変換部と、
当該フーリエ変換部によるフーリエ変換により得られた周波数スペクトルを積分してパワースペクトル合成値を導出するスペクトル合成部と、
前記特定期間よりも長い特定判定期間で、前記スペクトル合成部にて導出される複数の前記パワースペクトル合成値の標準偏差を導出する標準偏差導出部と、
前記特定判定期間で、前記スペクトル合成部にて導出される複数の前記パワースペクトル合成値の平均値を導出する平均値導出部と、
前記標準偏差導出部にて導出された前記標準偏差を、前記平均値導出部にて導出された前記平均値にて除算した変動係数に基づいて、前記ガバナでのハンチングの有無を判定するハンチング判定部とを備え、
前記ガバナにてハンチングが起きていないときの前記変動係数に対する、前記ガバナにてハンチングが起きているときの前記変動係数の比率である変動係数比率に基づいて決定されるハンチング判定閾値を記憶する記憶部を備え、
前記ハンチング判定部は、前記ガバナにてハンチングが起きていないときの前記変動係数に対する、導出した前記変動係数の比率である変動係数比率が、前記記憶部に記憶された前記ハンチング判定閾値を超える場合に、前記ガバナでハンチングが発生していると判定するものであり、
前記ハンチング判定部は、前記ハンチング判定閾値として、異なる流量の夫々に対して、同一の値を用いて前記ガバナでのハンチングの有無を判定する点にある。
【００１０】
また、上記目的を達成するためのハンチング判定方法は、
配管を通流する流体の一次側圧力を減圧して所定の二次側圧力に調整するガバナにて発生する音の時系列データを検出し、前記ガバナにてハンチングが発生しているか否かを前記時系列データに基づいて判定するハンチング判定方法であって、その特徴構成は、
特定期間毎の前記音の時系列データのうち低周波帯域を除去した周波数帯域の前記時系列データをフーリエ変換するフーリエ変換工程と、
当該フーリエ変換工程によるフーリエ変換により得られた周波数スペクトルを積分してパワースペクトル合成値を導出するスペクトル合成工程と、
前記特定期間よりも長い特定判定期間で、前記スペクトル合成工程にて導出される複数の前記パワースペクトル合成値の標準偏差を導出する標準偏差導出工程と、
前記特定判定期間で、前記スペクトル合成工程にて導出される複数の前記パワースペクトル合成値の平均値を導出する平均値導出工程と、
前記標準偏差導出工程にて導出された前記標準偏差を、前記平均値導出工程にて導出された前記平均値にて除算した変動係数に基づいて、前記ガバナでのハンチングの有無を判定するハンチング判定工程とを実行し、
前記ガバナにてハンチングが起きていないときの前記変動係数に対する、前記ガバナにてハンチングが起きているときの前記変動係数の比率である変動係数比率に基づいて決定されるハンチング判定閾値を記憶部に記憶し、
前記ハンチング判定工程は、前記ガバナにてハンチングが起きていないときの前記変動係数に対する、導出した前記変動係数の比率である変動係数比率が、前記記憶部に記憶された前記ハンチング判定閾値を超える場合に、前記ガバナでハンチングが発生していると判定するものであり、
前記ハンチング判定工程は、前記ハンチング判定閾値として、異なる流量の夫々に対して、同一の値を用いて前記ガバナでのハンチングの有無を判定する点にある。
【図面の簡単な説明】
【００１５】
【図１】実施形態に係るハンチング判定装置の概略構成図
【図２】ハンチングが起こっておらず、ガスの流量が４０ｍ3／ｈときの室内音にＡ特性補正をかけた場合のスペクトルマップ
【図３】ハンチングが起こっており、ガスの流量が４０ｍ3／ｈのときの室内音にＡ特性補正をかけた場合のスペクトルマップ
【図４】ハンチングが起こっておらず、ガスの流量が１００ｍ3／ｈのときの室内音にＡ特性補正をかけた場合のスペクトルマップ
【図５】ハンチングが起こっており、ガスの流量が１００ｍ3／ｈのときの室内音にＡ特性補正をかけた場合のスペクトルマップ
【図６】ハンチングが起こっておらず、ガスの流量が２００ｍ3／ｈのときの室内音にＡ特性補正をかけた場合のスペクトルマップ
【図７】ハンチングが起こっており、ガスの流量が２００ｍ3／ｈのときの室内音にＡ特性補正をかけた場合のスペクトルマップ
【図８】ハンチングが起こっておらず、ガスの流量が１００ｍ3／ｈときの室内音にＦＬＡＴ特性補正をかけた場合のスペクトルマップ
【図９】ハンチングが起こっておらず、ガスの流量が４０ｍ3／ｈときのパワースペクトル合成値の経時変化を示すグラフ図
【図１０】ハンチングが起こっており、ガスの流量が４０ｍ3／ｈのときのパワースペクトル合成値の経時変化を示すグラフ図
【図１１】ハンチングが起こっておらず、ガスの流量が１００ｍ3／ｈのときのパワースペクトル合成値の経時変化を示すグラフ図
【図１２】ハンチングが起こっており、ガスの流量が１００ｍ3／ｈのときのパワースペクトル合成値の経時変化を示すグラフ図
【図１３】ハンチングが起こっておらず、ガスの流量が２００ｍ3／ｈのときのパワースペクトル合成値の経時変化を示すグラフ図
【図１４】ハンチングが起こっており、ガスの流量が２００ｍ3／ｈのときのパワースペクトル合成値の経時変化を示すグラフ図
【発明を実施するための形態】
【００１６】
実施形態に係るハンチング判定装置１００、及びハンチング判定方法は、流体の流量を直接測定したり推定したりすることのない構成において、ガバナ１３の設置環境毎に各別にデータを補正する等の操作を必要とせず、流体の流量が変動する場合であっても、ガバナのハンチングを比較的高い精度で実行し得るハンチング判定装置１００、及びハンチング判定方法に関するものである。
以下、実施形態に係るハンチング判定装置１００、及びハンチング判定方法を、図１〜１４に基づいて説明する。
【００１７】
ハンチング判定装置１００は、ガバナ１３を備えるガバナ室１０に備えられるものであり、ガバナ室１０及びガバナ１３は、都市ガス供給網が張り巡らされた供給エリアのうち、複数に区分された地域ブロック毎に設けられている。
ガバナ室１０の内部に設けられるガバナ１３は、配管１１を通流する都市ガス（例えば、１３Ａ）の一次側圧力（例えば、１００ｋＰａ以上の圧力）のガスを、所定の設定圧（例えば、３ｋＰａ未満）の二次側圧力に減圧すると共に、当該設定圧を維持するように弁開度が自動調整されるように構成されている。尚、当該ガバナ１３の構成は、公知であるため、ここではその詳細な構成は省略する。
【００１８】
ガバナ室１０の内部には、ガバナ１３に加え、ガバナ１３の弁開度を検出するための開度計１３ａ、ガバナ１３の上流側で配管１１を緊急遮断可能な緊急遮断弁１２、ガバナ１３の一次側圧力を測定する一次側圧力センサＳ１、ガバナ１３の二次側圧力を測定する二次側圧力センサＳ２、ガバナ１３の二次側圧力が設定圧よりも高くなった場合に、配管１１の二次側から都市ガスの一部を排出可能な水封器１４、ガバナ室１０内に都市ガスが漏れた場合に当該都市ガスの漏れを検知するガス漏れ検知センサＳ３、及びガバナ室１０内の室内音を集音可能なマイクロフォンＭが備えられている。
【００１９】
一方、ガバナ室１０の外部には、当該ガバナ室１０内の各種機器からの信号を受けて、ガバナ１３の制御を行ったり、ガバナ１３のハンチングの有無を判定したりする制御装置Ｃが設けられており、当該制御装置Ｃは、複数のソフトウェア群と複数のハードウェア群とから構成され、それらが互いに協働する形態で、入力信号を出力信号へ変換する演算処理を実行可能に構成されている。当該制御装置Ｃは、緊急遮断弁１２、一次側圧力センサＳ１、二次側圧力センサＳ２、ガバナ１３の開度計１３ａ、ガス漏れ検知センサＳ３、及びマイクロフォンＭと、有線又は無線により通信可能に接続されている。
【００２０】
当該実施形態にあっては、制御装置Ｃは、一次側圧力センサＳ１にて検出される一次側圧力、二次側圧力センサＳ２にて検出される二次側圧力、開度計１３ａにて検出されるガバナ１３の開度とに基づいて、二次側圧力を設定圧に維持するように、ガバナ１３の開度を制御する。
更に、制御装置Ｃは、ガバナ室１０内のガス漏れ検知センサＳ３がガス漏れを検知した場合、又は図示しない地震計が振動を地震動を検出した場合に、緊急遮断弁１２を閉弁する。
【００２１】
水封器１４は、水を一定の水位で貯留する密閉式の水タンク１４ａと、一端が配管１１の二次側に連通接続されると共に他端が水タンク１４ａの水位より下方に位置する上流側流路１４ｂと、一端が水タンク１４ａの水位より上方に位置すると共に他端がガバナ室１０の外部に位置する下流側流路１４ｃとが設けられている。
水タンク１４ａの水位は、配管１１の二次側圧力が設定圧である場合、上流側流路１４ｂから水タンク１４ａの内部へ都市ガスが流入しない水位で、二次側圧力が設定圧よりも高い圧力になった場合に、配管１１の二次側から水タンク１４ａの内部へ都市ガスが漏出し、当該漏出した都市ガスが、下流側流路１４ｃから外部へ排出されるように構成されている。
【００２２】
ところで、上述のガバナ１３は、時として、弁体が、開き側への移動と閉じ側への移動とが短時間のうちに何度も切り換わるハンチングを起こす場合があり、当該実施形態に係るハンチング判定装置１００では、ガバナ室１０内の室内音により、都市ガスの流量に関係なく、且つ人為的な操作を行うことなく、ガバナ１３でのハンチングの有無を高精度に判定することを特徴とするものである。以下、ハンチングを判定するための具体的制御構成、及び制御方法について説明を追加する。
【００２３】
制御装置Ｃには、図１に示すように、ガバナ室１０内のマイクロフォンＭからの音響信号を増幅するプリアンプ部Ｃ１と、当該プリアンプ部Ｃ１にて増幅された音響信号（室内音の時系列データ）からノイズを除去するフィルタ部Ｃ２と、フィルタ部Ｃ２にてノイズが除去された音響信号（図２〜８に示されるようなスペクトルマップに係るデータ）を特定期間毎に高速フーリエ変換するフーリエ変換部Ｃ３と、フーリエ変換部Ｃ３による高速フーリエ変換により得られた周波数スペクトルを特定周波数帯域で積分してパワースペクトル合成値（図９〜１４に示されるようなデータ）を得るスペクトル合成部Ｃ４と、特定判定期間でスペクトル合成部Ｃ４にて導出される複数のパワースペクトル合成値の標準偏差を導出する標準偏差導出部Ｃ５と、特定期間よりも長い特定判定期間でスペクトル合成部Ｃ４にて導出される複数のパワースペクトル合成値の平均値を導出する平均値導出部Ｃ６と、標準偏差導出部Ｃ５にて導出された標準偏差を、平均値導出部Ｃ６にて導出され平均値にて除算した変動係数に基づいて、ガバナ１３でのハンチングの有無を判定するハンチング判定部Ｃ７と、当該ハンチング判定部Ｃ７での判定結果を外部へ出力する出力部Ｃ８とを備えている。当該出力部Ｃ８は、例えば、ガバナ室１０の外部の遠隔監視センターに対し、ハンチングの有無の判定結果に係るデータ信号を送信する。
【００２４】
フィルタ部Ｃ２は、プリアンプ部Ｃ１にて増幅された音響信号をフィルタリング処理する機能を有し、例えば、低周波成分を大きく取り除くＡ特性補正を実行可能に構成されている。また、本件の権利範囲に含まれるものではないが、他の補正として、低周波成分と高周波成分の双方を取り除くＣ特性補正、測定周波数全体に亘って平坦な補正をするＺ特性（ＦＬＡＴ特性：１０Ｈｚから２０ｋＨｚまで平坦）補正等がある。
ここで、図４に示すＡ特性補正を行った場合のスペクトルマップと、図８に示すＺ特性（ＦＬＡＴ特性）補正を行った場合のスペクトルマップとを比較すると、Ａ特性補正を行った場合のほうが、Ｚ特性（ＦＬＡＴ特性）補正を行った場合よりも、低周波ノイズが低減できていることがわかる。そこで、当該実施形態で示すデータ（図２〜７、図９〜１４に示すデータ）は、ガバナ室１０内での低周波ノイズを取り除くべく、Ａ特性補正を実行したものを示している。
フーリエ変換部Ｃ３は、フィルタ部Ｃ２にて低周波成分を除去された音響信号（特定期間続く時系列データ）を、高速フーリエ変換して周波数スペクトルを得る機能を有する。
当該実施形態にあっては、サンプリング周波数を４４．１ｋＨｚ、サンプル点数を４０９６点、サンプル時間（特定期間）を０．０９３秒、周波数範囲を０Ｈｚ〜１１０２５Ｈｚとして、高速フーリエ変換して周波数スペクトルを得た。
スペクトル合成部Ｃ４は、フーリエ変換部Ｃ３で得られた周波数スペクトルを上述の周波数範囲で積分し、パワースペクトル合成値を導出する機能を有する。
【００２５】
尚、当該実施形態にあっては、スペクトル合成部Ｃ４は、上述した特定期間よりも長い特定判定期間（例えば、１０秒〜６０秒の間の期間）に亘り、連続してパワースペクトル合成値を取得する。図９〜１４は、このようにして得られたパワースペクトル合成値の経時変化を示すグラフであり、例として、ガバナ１３を通過する都市ガスの流量が４０、１００、２００ｍ3／ｈの夫々において、ガバナ１３がハンチングを起こしている場合と、ハンチングを起こしていない場合とを示している。スペクトル合成部Ｃ４は、ハンチングが起きている場合に、例えば、図１０、１２、１４に示されるスペクトル合成値の変動の波の頂点が、少なくとも２つ以上入るように、特定判定期間を設定する。
図９〜１４に示されるように、都市ガスが同一流量のときには、ガバナ１３にてハンチングが起きている場合のパワースペクトル合成値は、ガバナ１３にてハンチングが起きていない場合のパワースペクトル合成値に比べて、振幅が大きくなっていることが確認できる。しかしながら、流量が大きくなるにつれて、その値（例えば、平均値）は大きくなっている。つまり、流量により、パワースペクトル合成値の値（平均値）が異なるため、当該パワースペクトル合成値では、異なる都市ガスの流量で共通の閾値を定めることができず、ガバナ１３でのハンチングの有無を容易に判定できない。
【００２６】
そこで、当該実施形態にあっては、標準偏差導出部Ｃ５にて特定判定期間にて導出された複数のパワースペクトル合成値の標準偏差を導出すると共に、平均値導出部Ｃ６にて特定判定期間にて導出された複数のパワースペクトル合成値の平均値を導出し、ハンチング判定部Ｃ７は、導出された標準偏差を平均値で除算した変動係数に基づいて、ガバナ１３でのハンチングの有無を判定している。
変動係数等の値を、以下の表１に示す。
【００２７】
【表１】
0006602075.tif 000002
【００２８】
上記〔表１〕に示しているように、変動係数は、ハンチングが起きてない場合にあっては、流量が４０ｍ3／ｈ〜２０００ｍ3／ｈの間で変化しているときでも、０．０６６９以上０．１２０２以下の比較的狭い範囲に値が収まっている。特に、流量が大流量の２０００ｍ3／ｈとなった場合であっても、値が大きく増加していない。
また、当該変動係数は、ハンチングが起きている場合にも、流量が４０ｍ3／ｈ〜２００ｍ3／ｈの間で変化しているときに、０．２０１８以上０．４４６０以下の範囲に収まっている。
そこで、当該実施形態にあっては、制御装置Ｃは、変動係数が、記憶部（図示せず）に記憶されるハンチング判定閾値を超える場合に、ガバナ１３でハンチングが発生していると判定する。ハンチング判定部Ｃ７は、例えば、０．１５を超える変動係数をハンチング判定閾値に設定する。当該値は、上記〔表１〕に示す変動係数の値から決定されたものである。
【００２９】
尚、〔表１〕には、水封器１４を設けている場合と、設けていない場合の双方の変動係数の値を示しているが、当該実施形態に係るハンチング判定装置１００では、水封器１４を設けている場合、設けていない場合の何れの場合であっても、適切に、ガバナ１３でのハンチングの有無を判定できていることがわかる。
【００３０】
〔ハンチング判定処理〕
制御装置Ｃは、以下のハンチング判定方法に係る制御を実行することで、ガバナ１３でのハンチングの有無を判定する。
制御装置Ｃは、例えば、１日に１回、一連のハンチングの判定処理を実行するものとし、１日で実行する時間は、固定の時間（例えば、早朝の６：００）とする。
プリアンプ部Ｃ１が、当該固定の時間になると、ガバナ室１０内のマイクロフォンＭが収集した室内音を増幅し、フィルタ部Ｃ２が、増幅された音響信号にＡ特性補正をかけて、低周波ノイズを除去する。
フーリエ変換部Ｃ３は、低周波ノイズが除去された音響信号（０．１秒程度の特定期間の音の時系列データ）を高速フーリエ変換して周波数スペクトルを得（フーリエ変換工程）、スペクトル合成部Ｃ４は、当該周波数スペクトルを特定周波数帯で積分してパワースペクトル合成値を導出し（パワースペクトル合成工程）、標準偏差導出部Ｃ５が、特定期間よりも長い特定判定期間（例えば、６０秒程度）で導出される複数のパワースペクトル合成値の標準偏差を導出し（標準偏差導出工程）、平均値導出部Ｃ６が、特定判定期間で導出される複数のパワースペクトル合成値の平均値を導出（平均値導出工程）する。
ハンチング判定部Ｃ７は、標準偏差を平均値で除算して得られる変動係数を、例えば、ハンチング判定装置１００の設置時で、ガバナ１３が正常に作動している状況において、複数導出し、それらの平均値から正常状態での変動係数の平均値を求め、例えば、当該変動係数平均値の２倍以上３倍以下の値を、ハンチング判定閾値として設定する。そして、ハンチング判定部Ｃ７は、１日に１回、固定の時間に、導出した変動係数が、ハンチング判定閾値を超える場合に、ガバナ１３にてハンチングが起きていると判定する（ハンチング判定工程）。
【００３１】
〔別実施形態〕
（１）ハンチング判定部Ｃ７は、ガバナ１３にてハンチングが起きていないときの変動係数（複数の変動係数の平均値）に対する、ガバナ１３にてハンチングが起きているときの変動係数（複数の変動係数の平均値）の比率である変動係数比率に基づいて、ハンチングの有無を判定するように構成しても構わない。
例えば、ハンチング判定部Ｃ７は、上述した変動係数比率が、２以上３以下の値であるハンチング判定閾値を超える場合に、ガバナ１３にてハンチングが起きていると判定しても構わない。
【００３２】
（２）上記実施形態では、ハンチング判定部Ｃ７は、１日のうち１回、固定の時間に、ハンチング判定処理を実行する例を示した。
しかしながら、ハンチング判定部Ｃ７は、ハンチング判定処理を、連続的に実行し続けるように構成しても構わない。
この場合、ハンチング判定部Ｃ７は、特定判定期間毎に変動係数を連続して導出し、当該変動係数の時間微分値が所定以上となった場合に、ハンチングが発生していると判定するように構成しても構わない。
【００３３】
（３）上記実施形態において、配管を通流する流体は都市ガスであるとしたが、別に、都市ガス以外の他のガスであっても構わない。
【００３４】
（４）上記実施形態では、ガバナ１３としては、ガバナ１３の開度計１３ａと、一次側圧力センサＳ１と、二次側圧力センサＳ２との出力に基づいて、制御装置Ｃによりその開度が制御される構成例を示した。
しかしながら、ガバナ１３が、一次側の配管１１と二次側の配管１１とに接続されるダイアフラム式の構成で、電子制御によるものでなく、機械的に、二次側圧力を設定圧に調整するものであっても、本発明のハンチング判定装置、及びハンチング判定方法は、良好にその機能を発揮する。
【００３５】
（５）上記実施形態にあっては、１日のうちで１回、固定の時間（例えば、早朝６：００）に、ハンチングの判定処理を実行する例を示した。
しかしながら、当該ハンチングの判定処理は、更に短い期間で実行しても良く、例えば、数時間に１回のスパンで実行するように構成しても構わない。
【００３６】
（６）上記実施形態では、制御装置Ｃを、複数のハードウェア群と複数のソフトウェア群とが協働する形態で実現される一の装置である例を示したが、別に２以上の装置が組み合わせて構成されるものであっても構わない。
【００３７】
（７）上記実施形態において、フィルタ部Ｃ２を備えることなく、フーリエ変換部Ｃ３にて得られた周波数スペクトルにて、低周波成分を除去したデータを用いて、後の制御を実行するような構成を採用しても構わない。
【００３８】
（８）制御装置Ｃは、ガバナ１３にてハンチングが起きているときの変動係数と、ガバナ１３にてハンチングが起きていないときの変動係数との間の値として決定されるハンチング判定閾値を記憶する記憶部（図示せず）を備え、ハンチング判定部Ｃ７は、導出した変動係数が、記憶部に記憶されたハンチング判定閾値を超える場合に、ガバナ１３でハンチングが発生していると判定するように構成しても構わない。
当該構成において、ハンチング判定閾値の決定方法の一例を示すと、例えば、ハンチング判定装置１００の設置時において、ガバナ１３が正常に稼働している状態のときに、複数の変動係数を取得し、それらの平均値を導出する。ハンチング判定部Ｃ７は、例えば、その正常時の変動係数の平均値の２倍以上３倍以下の値をハンチング判定閾値として設定する。
これにより、流量が変動する場合であっても、当該流量毎にハンチング判定閾値を変動することなく、ガバナ１３でのハンチングを精度良く判定できる。
【００３９】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００４０】
本発明のハンチング判定装置、及びハンチング判定方法は、ガバナの設置環境毎に各別にデータを補正する等の操作を必要とせず、流体の流量を直接測定したり推定したりすることのない構成において、流体の流量が変動する場合であっても、ガバナのハンチングを比較的高い精度で実行し得るハンチング判定装置、及びハンチング判定方法として、有効に利用可能である。
【符号の説明】
【００４１】
１１      ：配管
１３      ：ガバナ
１００    ：ハンチング判定装置
Ｃ        ：制御装置
１３      ：ガバナ
Ｃ３      ：フーリエ変換部
Ｃ４      ：スペクトル合成部
Ｃ５      ：標準偏差導出部
Ｃ６      ：平均値導出部
Ｃ７      ：ハンチング判定部
【図１】
0006602075.tif 000003
【図２】
0006602075.tif 000004
【図３】
0006602075.tif 000005
【図４】
0006602075.tif 000006
【図５】
0006602075.tif 000007
【図６】
0006602075.tif 000008
【図７】
0006602075.tif 000009
【図８】
0006602075.tif 000010
【図９】
0006602075.tif 000011
【図１０】
0006602075.tif 000012
【図１１】
0006602075.tif 000013
【図１２】
0006602075.tif 000014
【図１３】
0006602075.tif 000015
【図１４】
0006602075.tif 000016